(57)【要約】【課題】プッシュピースを係合空間に容易に配設する。【解決手段】容器本体１２の前壁部１７に形成された係合空間２１に、操作壁部３１、天壁部３２、および底壁部３３からなるプッシュピース３０が後方に向けて移動可能に配設され、係合空間における後面２１ａ、および側面２１ｂのうちの少なくとも一方に、係合空間の下面２１ｃとの間で、プッシュピースの少なくとも一部を上下方向に挟み、プッシュピースの、係合空間からの上方に向けた抜け出しを規制する支持突部２５、２６が形成され、天壁部は、プッシュピースの後方への移動に伴って、蓋体の突出部を押上げて、突出部の被係止部を容器本体の係止部２２から上方に離脱させる解除突起３４を備え、底壁部の下面、および係合空間の下面のうちのいずれか一方に、他方に形成された規制凹部２７に係止することで、プッシュピースの、係合空間からの前方への抜け出しを規制する規制突部３８が形成されている。【選択図】図５
2020050400.tif 000002
【特許請求の範囲】
【請求項１】
上方に向けて開口する収容凹部が形成された容器本体と、
前記容器本体の後壁部にヒンジ部を介して連結され、前記収容凹部を開閉する蓋体と、を備え、
前記容器本体の前壁部に、前方および上方に一体に開口する係合空間が形成され、前記係合空間の内面のうち、後端に位置して前方を向く後面に、前方に向けて突出する係止部が形成され、
前記蓋体に、前記係合空間に進入した突出部が配設され、前記突出部に、後方に向けて突出して前記係止部にアンダーカット嵌合した被係止部が形成され、
前記係合空間に、前記前壁部から外部に露呈した操作壁部と、前記操作壁部の上端部から後方に向けて突出した天壁部と、前記操作壁部の下端部から後方に向けて突出した底壁部と、からなるプッシュピースが後方に向けて移動可能に配設され、
前記係合空間の内面のうち、前記後面、および左右方向を向く側面のうちの少なくとも一方に、下端に位置して上方を向く下面との間で、前記プッシュピースの少なくとも一部を上下方向に挟み、前記プッシュピースの、前記係合空間からの上方に向けた抜け出しを規制する支持突部が形成され、
前記天壁部は、前記プッシュピースの後方への移動に伴って、前記突出部を押上げて、前記被係止部を前記係止部から上方に離脱させる解除突起を備え、
前記底壁部は、前記係合空間の下面に当接若しくは近接し、
前記底壁部の下面、および前記係合空間の下面のうちのいずれか一方に、他方に形成された規制凹部に係止することで、前記プッシュピースの、前記係合空間からの前方への抜け出しを規制する規制突部が形成されている、蓋付容器。
【請求項２】
前記支持突部は、前記天壁部と前記底壁部との間に差し込まれている、請求項１に記載の蓋付容器。
【請求項３】
前記プッシュピースの底壁部は、
左右方向の中央部に位置する主壁部と、
前記主壁部における左右方向の両端部から左右方向の外側に向けて突出し、その先端部が、前記係合空間の後面に当接若しくは近接した弾性変形可能な突出壁部と、を備え、
前記主壁部、および前記突出壁部は一体に形成されている、請求項１または２に記載の蓋付容器。
【請求項４】
前記突出壁部は、前方に向けて突となるように湾曲している、請求項３に記載の蓋付容器。
【発明の詳細な説明】
【技術分野】
【０００１】
本発明は、蓋付容器に関するものである。
【背景技術】
【０００２】
従来から、上方に向けて開口する収容凹部が形成された容器本体と、容器本体の後壁部にヒンジ部を介して連結され、収容凹部を開閉する蓋体と、を備え、容器本体の前壁部に、前方および上方に一体に開口する係合空間が形成され、係合空間の内面のうち、後端に位置して前方を向く後面に、前方に向けて突出する係止部が形成され、蓋体に、係合空間に進入した突出部が配設され、突出部に、後方に向けて突出して容器本体の係止部にアンダーカット嵌合した被係止部が形成され、係合空間に、プッシュピースが後方に向けて移動可能に配設された蓋付容器が知られている。
この種の蓋付容器として、例えば下記特許文献１に示されるように、プッシュピースが、後方への移動に伴って、蓋体の突出部を押上げて、突出部の被係止部を容器本体の係止部から上方に離脱させる解除突起と、係合空間の下面に当接若しくは近接した底壁部と、を備え、係合空間の後面に、係合空間の下面との間で、プッシュピースの底壁部を上下方向に挟み、プッシュピースの、係合空間からの上方に向けた抜け出しを規制する支持突部が形成され、プッシュピースの底壁部の下面に、係合空間の下面に形成された規制凹部に係止することで、プッシュピースの、係合空間からの前方に向けた抜け出しを規制する規制突部が形成された構成が知られている。
【先行技術文献】
【特許文献】
【０００３】
【特許文献１】特開２００９−１１８９４９号公報
【発明の概要】
【発明が解決しようとする課題】
【０００４】
しかしながら、従来の蓋付容器では、プッシュピースが、支持突部と係合空間の下面との間で上下方向に挟まれているので、プッシュピースを係合空間に配設する際に、規制突部が規制凹部に到達するまでの間は、規制突部を、係合空間の下面に強く当接させた状態で、プッシュピースを係合空間内に向けて後方に押し込む必要があり、例えば規制突部や係合空間の下面に傷が付くなどの場合もあり、組み立てが困難であるという問題があった。
【０００５】
本発明は、このような事情を考慮してなされたもので、プッシュピースを係合空間に容易に配設することができる蓋付容器を提供することを目的とする。
【課題を解決するための手段】
【０００６】
上記課題を解決して、このような目的を達成するために、本発明の蓋付容器は、上方に向けて開口する収容凹部が形成された容器本体と、前記容器本体の後壁部にヒンジ部を介して連結され、前記収容凹部を開閉する蓋体と、を備え、前記容器本体の前壁部に、前方および上方に一体に開口する係合空間が形成され、前記係合空間の内面のうち、後端に位置して前方を向く後面に、前方に向けて突出する係止部が形成され、前記蓋体に、前記係合空間に進入した突出部が配設され、前記突出部に、後方に向けて突出して前記係止部にアンダーカット嵌合した被係止部が形成され、前記係合空間に、前記前壁部から外部に露呈した操作壁部と、前記操作壁部の上端部から後方に向けて突出した天壁部と、前記操作壁部の下端部から後方に向けて突出した底壁部と、からなるプッシュピースが後方に向けて移動可能に配設され、前記係合空間の内面のうち、前記後面、および左右方向を向く側面のうちの少なくとも一方に、下端に位置して上方を向く下面との間で、前記プッシュピースの少なくとも一部を上下方向に挟み、前記プッシュピースの、前記係合空間からの上方に向けた抜け出しを規制する支持突部が形成され、前記天壁部は、前記プッシュピースの後方への移動に伴って、前記突出部を押上げて、前記被係止部を前記係止部から上方に離脱させる解除突起を備え、前記底壁部は、前記係合空間の下面に当接若しくは近接し、前記底壁部の下面、および前記係合空間の下面のうちのいずれか一方に、他方に形成された規制凹部に係止することで、前記プッシュピースの、前記係合空間からの前方への抜け出しを規制する規制突部が形成されている。
【０００７】
この発明によれば、プッシュピースが、操作壁部、天壁部、および底壁部により構成されていて、操作壁部の後面、天壁部の下面、および底壁部の上面で画成された空間が、左右方向に開口することとなり、係合空間に配設される前のプッシュピース単体を、天壁部および底壁部が上下方向に互いに近づくように弾性変形させやすくすることができる。
したがって、プッシュピースの少なくとも一部が、支持突部と係合空間の下面との間で上下方向に挟まれているにもかかわらず、プッシュピースを係合空間に配設するのに、プッシュピースを係合空間内に向けて後方に押し込む際に、規制突部と係合空間の下面との間に生ずる押付力を低く抑えることが可能になり、プッシュピースを係合空間に容易に配設することができる。
【０００８】
ここで、前記支持突部は、前記天壁部と前記底壁部との間に差し込まれてもよい。
【０００９】
この場合、支持突部が、天壁部と底壁部との間に差し込まれているので、係合空間の上下方向の大きさがかさ張るのを抑えることが可能になり、蓋付容器の上下方向の大きさが大きくなるのを抑えることができる。
また、底壁部が、支持突部と係合空間の下面との間で上下方向に挟まれることから、係合空間に配設される前のプッシュピース単体が、前述のように弾性変形しやすくなったにもかかわらず、プッシュピースが係合空間に配設された状態では、底壁部を上方に向けて変形しにくくすることが可能になり、規制突部を規制凹部から外れにくくすることができる。
この構成において、前記支持突部は、前記底壁部のうち、前記規制凹部、若しくは前記規制突部が配設された部分に隣接する部分の上面に当接、若しくは近接してもよい。
【００１０】
また、前記プッシュピースの底壁部は、左右方向の中央部に位置する主壁部と、前記主壁部における左右方向の両端部から左右方向の外側に向けて突出し、その先端部が、前記係合空間の後面に当接若しくは近接した弾性変形可能な突出壁部と、を備え、前記主壁部、および前記突出壁部は一体に形成されてもよい。
【００１１】
この場合、プッシュピースが突出壁部を備えるので、プッシュピースを後方に移動させたときに、突出壁部の先端部が係合空間の後面に押し付けられ、突出壁部が弾性変形することとなり、プッシュピースに前方に向けた復元力を生じさせることができる。
また、突出壁部が、主壁部における左右方向の両端部から左右方向の外側に向けて突出しているので、プッシュピースを、その姿勢を安定させて前後動させることができる。
また、主壁部、および突出壁部が一体に形成されているので、部品点数の増大を抑制することができる。
この構成において、突出壁部の先端部は、主壁部より後方に位置してもよい。
【００１２】
また、前記突出壁部は、前方に向けて突となるように湾曲してもよい。
【００１３】
この場合、突出壁部が、前方に向けて突となるように湾曲しているので、プッシュピースを後方に移動させたときに、突出壁部を円滑に弾性変形させることができる。
この構成において、突出壁部が、主壁部の前端縁より後方に配設された場合には、突出壁部の、主壁部に対する前方に向けた変形ストロークを容易に長く確保することができる。
【発明の効果】
【００１４】
本発明によれば、プッシュピースを係合空間に容易に配設することができる。
【図面の簡単な説明】
【００１５】
【図１】本発明に係る一実施形態として示した蓋付容器において、蓋体が後端部分を除いて除去された状態を示す上面図である。
【図２】図１に示す蓋付容器のＩＩ−ＩＩ線矢視断面図である。
【図３】図１に示す蓋付容器のＩＩＩ−ＩＩＩ線矢視断面図である。
【図４】図１に示す蓋付容器のＩＶ−ＩＶ線矢視断面図である。
【図５】図３、および図４に示す蓋付容器のＶ−Ｖ線矢視断面図である。
【図６】図１〜図５に示すフックピースの上面図である。
【図７】図１〜図５に示すフックピースの下面図である。
【図８】図１〜図５に示すフックピースの後面図である。
【発明を実施するための形態】
【００１６】
以下、図面を参照し、本発明の一実施形態に係る蓋付容器１について説明する。
図１および図２に示されるように、蓋付容器１は、上方に向けて開口する収容凹部１１が形成された容器本体１２と、容器本体１２の後述する後壁部１３にヒンジ部１４を介して連結され、収容凹部１１を開閉する蓋体１５と、を備える。図示の例では、蓋付容器１は、上下方向の大きさが、上下方向に直交する方向の大きさより小さい扁平に形成され、収容凹部１１に例えば化粧料などが充填される、いわゆるコンパクト容器となっている。
【００１７】
容器本体１２は、上下方向から見た平面視で左右方向に長い長方形状を呈する下壁部１６と、下壁部１６の前端部から上方に向けて突出し左右方向に延びる前壁部１７と、下壁部１６の後端部から上方に向けて突出し左右方向に延びる後壁部１３と、下壁部１６における左右方向の両端部から上方に向けて突出し前後方向に延びる一対の横壁部１９と、を備える。
これらの下壁部１６、前壁部１７、後壁部１３、および一対の横壁部１９により囲まれた空間が収容凹部１１となっている。図示の例では、収容凹部１１は、前壁部１７および後壁部１３それぞれにおける左右方向の中央部同士を連結する仕切り壁１２ａにより左右方向に仕切られている。
【００１８】
容器本体１２の前壁部１７に、前方および上方に一体に開口する係合空間２１が形成されている。係合空間２１は、前壁部１７における左右方向の中央部に配設されている。係合空間２１は、後端に位置して前方を向く後面２１ａと、左右方向を向く一対の側面２１ｂと、下端に位置して上方を向く下面２１ｃと、により画成されている。
係合空間２１の後面２１ａに、前方に向けて突出する係止部２２が形成されている。係止部２２は、係合空間２１の後面２１ａにおける上端部に形成されている。係止部２２は、係合空間２１の後面２１ａにおける左右方向の中央部に形成されている。係止部２２は、上下方向に沿う縦断面視で、前方に向けて突の曲線状を呈する。
【００１９】
蓋体１５は、平面視において、左右方向に長い長方形状を呈し、容器本体１２の大きさと同等になっている。蓋体１５の下面に鏡１５ａが固定されている。
【００２０】
蓋体１５の後端部に、下方に向けて突出し、容器本体１２の後壁部１３に形成されたヒンジ凹部１３ａに差し込まれたヒンジ脚部１４ａが設けられている。ヒンジ脚部１４ａは、蓋体１５の後端部のうち、左右方向の両端部を除く左右方向の全長にわたって配設されている。ヒンジ脚部１４ａの左右方向の両端部は、容器本体１２のヒンジ凹部１３ａの内面に、左右方向に延びるヒンジピン１４ｂを介して各別に連結されている。ヒンジ脚部１４ａは、容器本体１２のヒンジ凹部１３ａ内に、ヒンジピン１４ｂ回りに回転可能に配設されている。これにより、蓋体１５は、ヒンジピン１４ｂ回りに上下方向に回転可能に支持されている。ヒンジ脚部１４ａ、およびヒンジピン１４ｂにより、前述のヒンジ部１４が構成されている。
【００２１】
蓋体１５に、係合空間２１に進入した突出部２３が配設されている。突出部２３は、蓋体１５の前端部における左右方向の中央部から下方に向けて突出している。突出部２３の下端部は、係合空間２１の下面２１ｃより上方に位置している。
突出部２３の前面は、下方から上方に向かうに従い漸次、前方に向けて延びている。上下方向に沿う縦断面視において、突出部２３の前面の、上下方向に対する傾斜角度は、全長にわたって同等になっている。なお、この傾斜角度は、突出部２３における上下方向の位置ごとで異ならせてもよい。
突出部２３に、後方に向けて突出して容器本体１２の係止部２２にアンダーカット嵌合した被係止部２４が形成されている。被係止部２４は、上下方向に沿う縦断面視で、後方に向けて突の曲線状を呈する。被係止部２４は、係止部２２に上方に向けて離脱可能に係止されている。
【００２２】
係合空間２１に、プッシュピース３０が後方に向けて移動可能に配設されている。
プッシュピース３０は、容器本体１２の前壁部１７から外部に露呈した操作壁部３１と、操作壁部３１の上端部から後方に向けて突出した天壁部３２と、操作壁部３１の下端部から後方に向けて突出した底壁部３３と、により構成されている。これにより、図８に示されるように、操作壁部３１の後面、天壁部３２の下面、および底壁部３３の上面で画成された空間Ｘが、左右方向および前方に開口している。
【００２３】
図２から図５に示されるように、操作壁部３１は、容器本体１２の前壁部１７より後方に突出している。
プッシュピース３０の天壁部３２は、係合空間２１の後面２１ａより前方に位置している。図６に示されるように、天壁部３２に、上下方向に貫いて、後方に向けて開口した切欠き部３２ａが形成されている。切欠き部３２ａは、天壁部３２における左右方向の中央部に形成されている。切欠き部３２ａは、平面視で左右方向に長い長方形状を呈する。
図２に示されるように、プッシュピース３０の底壁部３３の下面は、係合空間２１の下面２１ｃに当接若しくは近接している。底壁部３３の上面は、蓋体１５の突出部２３より下方に位置している。
【００２４】
プッシュピース３０の天壁部３２は、プッシュピース３０の後方への移動に伴って、蓋体１５の突出部２３を押上げて、被係止部２４を容器本体１２の係止部２２から上方に離脱させる解除突起３４を備える。
【００２５】
図２、および図８に示されるように、解除突起３４は、切欠き部３２ａの内面のうち、後方を向く前面から後方に向けて突出している。解除突起３４は、切欠き部３２ａの前面のうちの上端部より下方に位置する部分、および操作壁部３１の後面のうちの下端部より上方に位置する部分から一体に後方に向けて突出している。
解除突起３４の後端部は、蓋体１５の突出部２３の前面に当接、若しくは近接している。解除突起３４の上面は、後方に向かうに従い漸次、下方に向けて延びている。解除突起３４の後端部は、上下方向に沿う縦断面視で、後方に向けて突の曲線状を呈する。図６に示されるように、解除突起３４は、切欠き部３２ａの前面における左右方向の両端部を除く左右方向の全域にわたって配設されている。解除突起３４の後端部は、切欠き部３２ａの後端開口より前方に位置している。
【００２６】
プッシュピース３０の底壁部３３は、図７に示されるように、左右方向の中央部に位置する主壁部３５と、主壁部３５における左右方向の両端部から左右方向の外側に向けて突出し、その先端部３６ａが、係合空間２１の後面２１ａに当接若しくは近接した弾性変形可能な突出壁部３６と、左右方向の両端部に位置する一対の端壁部３７と、を備える。
【００２７】
主壁部３５は、平面視で左右方向に長い長方形状を呈する。主壁部３５の左右方向の両端部に、前後方向に延び、前端部が操作壁部３１の後面に接続された突条部３５ａが形成されている。端壁部３７は、平面視で前後方向に長い長方形状を呈する。主壁部３５の左右方向の大きさは、端壁部３７の左右方向の大きさより大きい。
主壁部３５、および端壁部３７は、係合空間２１の後面２１ａより前方に位置している。主壁部３５、および端壁部３７それぞれの後端縁の前後方向の各位置は、天壁部３２の後端縁の前後方向の位置と同等になっている。
端壁部３７の上面における後端部３７ａは、後方に向かうに従い漸次、下方に向けて延びている。天壁部３２の下面において、端壁部３７と上下方向で対向する部分の後端部３２ｂは、後方に向かうに従い漸次、上方に向けて延びている。
【００２８】
突出壁部３６の先端部３６ａは、主壁部３５、および端壁部３７の各後端縁より後方に位置している。突出壁部３６は、平面視で前方に向けて突となるように湾曲している。突出壁部３６のうち、主壁部３５との接続部分と、先端部３６ａと、の間に位置する中間部の少なくとも一部は、主壁部３５、および端壁部３７の各後端縁より前方に位置している。突出壁部３６の先端部３６ａは、平面視で後方に向けて突の曲線状を呈する。突出壁部３６と端壁部３７との間に左右方向の隙間が設けられている。突出壁部３６は、主壁部３５の前端縁より後方に位置している。主壁部３５の左右方向の両端部のうち、突出壁部３６より前方に位置する部分は、平面視で左右方向の内側に向けて窪む曲線状を呈する。
【００２９】
図４に示されるように、プッシュピース３０の底壁部３３の下面、および係合空間２１の下面２１ｃのうちのいずれか一方に、他方に形成された規制凹部２７に係止することで、プッシュピース３０の、係合空間２１からの前方への抜け出しを規制する規制突部３８が形成されている。
図示の例では、規制凹部２７が、係合空間２１の下面２１ｃに形成され、規制突部３８が、プッシュピース３０の底壁部３３の下面に形成されている。
【００３０】
図５に示されるように、規制凹部２７は、係合空間２１の下面２１ｃにおける左右方向の両端部に形成されている。規制凹部２７は、係合空間２１の下面２１ｃのうち、前後方向の中央部より後方に位置する部分の全域に形成されている。規制凹部２７は、平面視で前後方向に長い長方形状を呈する。図４に示されるように、規制凹部２７の内面のうち、前端に位置して後方を向く前面は、上下方向に真直ぐ延びている。
【００３１】
規制突部３８は、底壁部３３の下面の後端部に形成されている。規制突部３８は、底壁部３３の端壁部３７の下面に形成されている。規制突部３８は、端壁部３７における左右方向の全域にわたって配設されている。規制突部３８のうちの少なくとも後部の上下方向の大きさは、後方から前方に向かうに従い漸次、大きくなっている。規制突部３８のうち、前端に位置して前方を向く前面は、上下方向に真直ぐ延びている。規制突部３８の前面と、規制凹部２７の内面のうちの前面と、が前後方向で当接、若しくは近接している。
プッシュピース３０は、主壁部３５、および突出壁部３６を含む全体が一体に形成されている。
【００３２】
図３から図５に示されるように、係合空間２１における後面２１ａ、および側面２１ｂのうちの少なくとも一方に、係合空間２１の下面２１ｃとの間で、プッシュピース３０の少なくとも一部を上下方向に挟み、プッシュピース３０の、係合空間２１からの上方に向けた抜け出しを規制する第１支持突部２５、および第２支持突部２６が形成されている。
なお、第１支持突部２５、および第２支持突部２６のうちのいずれか一方のみを係合空間２１に配設してもよい。
【００３３】
第１支持突部２５、および第２支持突部２６は、プッシュピース３０における天壁部３２と底壁部３３との間に差し込まれている。これにより、プッシュピース３０の底壁部３３が、第１支持突部２５、および第２支持突部２６と、係合空間２１の下面２１ｃと、の間で上下方向に挟まれている。つまり、底壁部３３の上面は、第１支持突部２５、および第２支持突部２６に当接、若しくは近接し、底壁部３３の下面は、係合空間２１の下面２１ｃに当接、若しくは近接している。第１支持突部２５、および第２支持突部２６それぞれの前端縁は、操作壁部３１の後面に対して、後方に離間し前後方向で対向している。
なお、第１支持突部２５、および第２支持突部２６と、係合空間２１の下面２１ｃと、の間で、プッシュピース３０における天壁部３２および底壁部３３が上下方向に挟み込まれてもよい。
【００３４】
第１支持突部２５は、係合空間２１の後面２１ａにおいて、係止部２２を左右方向の両側に挟む部分に各別に配設されている。第１支持突部２５は、係止部２２より下方に位置している。第１支持突部２５は、係合空間２１の後面２１ａにおいて、左右方向における中央部と外端部との間に位置する中間部に形成されている。第１支持突部２５は、係合空間２１の後面２１ａから前方に向けて突出した板状に形成されている。第１支持突部２５の前端部は、係合空間２１における前後方向の中央部に位置している。
【００３５】
第１支持突部２５は、平面視において、左右方向の内端に位置して前後方向に延びる第１線部２５ａと、第１線部２５ａの前端部から左右方向の外側に向けて延びる第２線部２５ｂと、第２線部２５ｂにおける左右方向の外端部から後方に向かうに従い漸次、左右方向の外側に向けて延びる第３線部２５ｃと、係合空間２１の後面２１ａの一部と一致し、かつ第１線部２５ａおよび第３線部２５ｃの各後端部同士を接続する第４線部２５ｄと、により画成された台形状を呈する。第３線部２５ｃは、平面視で左右方向の内側に向けて窪む曲線状を呈する。第３線部２５ｃの左右方向の外端部は、平面視で突出壁部３６の先端部３６ａに外接している。
【００３６】
第１支持突部２５のうち、前後方向の中央部より前方に位置する前部が、プッシュピース３０における天壁部３２および底壁部３３に、上下方向に当接若しくは近接している。第１支持突部２５の前部は、天壁部３２のうち、切欠き部３２ａと左右方向に隣接する部分に、上下方向に当接若しくは近接している。第１支持突部２５の前部は、底壁部３３のうち、主壁部３５と突出壁部３６との接続部分に、上下方向に当接若しくは近接している。
【００３７】
第２支持突部２６は、係合空間２１の側面２１ｂにおける中央部に形成されている。第２支持突部２６の前後方向および上下方向の各位置は、第１支持突部２５の前端部における前後方向および上下方向の各位置と同等になっている。第２支持突部２６は、上方を向く上面と、下方を向く下面と、前方を向く前面と、後方を向く後面と、左右方向の内側を向く先端面と、を有する直方体状に形成されている。第２支持突部２６における上面と前面との接続部分２６ａ、並びに、第２支持突部２６における下面と前面との接続部分２６ｂは、左右方向から見て突の曲線状を呈する。左右方向から見て、前者の接続部分２６ａの曲率半径が、後者の接続部分２６ｂの曲率半径より大きくなっている。
【００３８】
第２支持突部２６は、端壁部３７のうち、規制突部３８が配設された部分に隣接する部分の上面に当接、若しくは近接している。図示の例では、第２支持突部２６は、端壁部３７のうち、規制突部３８が配設された部分に対して前方から隣接する部分の上面に当接、若しくは近接している。第２支持突部２６は、規制凹部２７の前端部と前後方向で隣接している。平面視において、第２支持突部２６の後端縁、および規制凹部２７の前端縁それぞれの前後方向の位置が、互いに同等になっている。第２支持突部２６の左右方向の大きさは、規制凹部２７および端壁部３７それぞれの左右方向の大きさより小さく、第２支持突部２６の左右方向の内端部は、規制凹部２７および端壁部３７それぞれにおける左右方向の内端部より左右方向の外側に位置している。
【００３９】
以上の構成において、操作壁部３１を後方に押圧し、プッシュピース３０を後方に移動させると、突出壁部３６の先端部３６ａが係合空間２１の後面２１ａに押し付けられ、突出壁部３６が弾性変形しながら、解除突起３４の後端部が、蓋体１５の突出部２３の前面を摺動することで、突出部２３が押上げられ、突出部２３の被係止部２４が、容器本体１２の係止部２２から上方に離脱する。なお、この過程において、規制突部３８は、規制凹部２７内を後方に向けて移動する。
そして、蓋体１５をヒンジピン１４ｂ回りに上方に向けて回転させ、容器本体１２の収容凹部１１を開放する。また、操作壁部３１の後方に向けた押圧を解除すると、突出壁部３６の先端部３６ａが係合空間２１の後面２１ａに当接した状態で、突出壁部３６が復元変形することで、プッシュピース３０が前方に復元移動する。
【００４０】
以上説明したように、本実施形態による蓋付容器１によれば、プッシュピース３０が、操作壁部３１、天壁部３２、および底壁部３３により構成されていて、操作壁部３１の後面、天壁部３２の下面、および底壁部３３の上面で画成された空間Ｘが、左右方向に開口することとなり、係合空間２１に配設される前のプッシュピース３０単体を、天壁部３２および底壁部３３が上下方向に互いに近づくように弾性変形させやすくすることができる。
【００４１】
したがって、プッシュピース３０の少なくとも一部が、第１支持突部２５および第２支持突部２６と、係合空間２１の下面２１ｃと、の間で上下方向に挟まれているにもかかわらず、プッシュピース３０を係合空間２１に配設するのに、プッシュピース３０を係合空間２１内に向けて後方に押し込む際に、規制突部３８と係合空間２１の下面２１ｃとの間に生ずる押付力を低く抑えることが可能になり、プッシュピース３０を係合空間２１に容易に配設することができる。
【００４２】
また、第１支持突部２５および第２支持突部２６が、天壁部３２と底壁部３３との間に差し込まれているので、係合空間２１の上下方向の大きさがかさ張るのを抑えることが可能になり、蓋付容器１の上下方向の大きさが大きくなるのを抑えることができる。
また、底壁部３３が、第１支持突部２５および第２支持突部２６と、係合空間２１の下面２１ｃと、の間で上下方向に挟まれることから、係合空間２１に配設される前のプッシュピース３０単体が、前述のように弾性変形しやすくなったにもかかわらず、プッシュピース３０が係合空間２１に配設された状態では、底壁部３３を上方に向けて変形しにくくすることが可能になり、規制突部３８を規制凹部２７から外れにくくすることができる。
【００４３】
また、プッシュピース３０が突出壁部３６を備えるので、プッシュピース３０を後方に移動させたときに、突出壁部３６の先端部３６ａが係合空間２１の後面２１ａに押し付けられ、突出壁部３６が弾性変形することとなり、プッシュピース３０に前方に向けた復元力を生じさせることができる。
また、突出壁部３６が、主壁部３５における左右方向の両端部から左右方向の外側に向けて突出しているので、プッシュピース３０を、その姿勢を安定させて前後動させることができる。
また、主壁部３５、および突出壁部３６が一体に形成されているので、部品点数の増大を抑制することができる。
【００４４】
また、突出壁部３６が、前方に向けて突となるように湾曲しているので、プッシュピース３０を後方に移動させたときに、突出壁部３６を円滑に弾性変形させることができる。
この構成において、突出壁部３６が、主壁部３５の前端縁より後方に配設されているので、突出壁部３６の、主壁部３５に対する前方に向けた変形ストロークを容易に長く確保することができる。
【００４５】
また、端壁部３７の上面における後端部３７ａが、後方に向かうに従い漸次、下方に向けて延び、天壁部３２の下面において、端壁部３７と上下方向で対向する部分の後端部３２ｂが、後方に向かうに従い漸次、上方に向けて延びていて、第２支持突部２６における前記接続部分２６ａ、２６ｂが、左右方向から見て突の曲線状を呈するので、プッシュピース３０を係合空間２１に配設する際に、天壁部３２および端壁部３７の各前端部が、第２支持突部２６の前端部に当接しても、両者を円滑に摺接させることが可能になり、プッシュピース３０の係合空間２１への進入が阻害されるのを抑制することができる。
【００４６】
また、左右方向から見て、第２支持突部２６における上面と前面との接続部分２６ａの曲率半径が、第２支持突部２６における下面と前面との接続部分２６ｂの曲率半径より大きくなっているので、プッシュピース３０を係合空間２１に配設する際に、天壁部３２が下方に大きく傾いた状態で、第２支持突部２６の前端部に当接しても、両者を円滑に摺接させることが可能になり、プッシュピース３０の係合空間２１への進入が阻害されるのを抑制することができる。
【００４７】
また、プッシュピース３０の前記空間Ｘが左右方向に開口していることから、端壁部３７を、左右方向の内端部が上方に位置し、かつ左右方向の外端部が下方に位置するようにねじれ変形させることができる。したがって、第２支持突部２６の左右方向の内端部が、規制凹部２７および端壁部３７それぞれにおける左右方向の内端部より左右方向の外側に位置している構成において、プッシュピース３０を係合空間２１に配設する際に、端壁部３７を前述のようにねじれ変形させることにより、プッシュピース３０を係合空間２１に容易に配設することができる。
【００４８】
本発明は上記した実施の形態に限定されるものではなく、その趣旨を逸脱しない範囲で適宜変更可能である。
【００４９】
例えば前記実施形態では、容器本体１２および蓋体１５が、上下方向から見た平面視で左右方向に長い長方形状を呈する構成を示したが、円形状、正方形状、三角形状、若しくは５つ以上の角部を有する角形状にするなど適宜変更してもよい。
また、前記実施形態では、蓋付容器１として、扁平に形成された構成を示したが、上下方向の大きさが、上下方向に直交する方向の大きさ以上の構成を採用してもよい。
【００５０】
また、規制凹部２７をプッシュピース３０の底壁部３３の下面に形成し、規制突部３８を係合空間２１の下面２１ｃに形成してもよい。
また、規制凹部２７、若しくは規制突部３８を、プッシュピース３０の底壁部３３のうちの主壁部３５に形成してもよい。この構成において、第１支持突部２５を、主壁部３５のうち、規制凹部２７、若しくは規制突部３８が配設された部分に隣接する部分の上面に当接、若しくは近接させてもよい。
また、突出壁部３６の先端部３６ａは、主壁部３５、および端壁部３７の各後端縁に対して、前後方向の位置が同等であってもよいし、前方に位置してもよい。
【００５１】
その他、本発明の趣旨を逸脱しない範囲で、上記した実施の形態における構成要素を周知の構成要素に置き換えることは適宜可能であり、また、上記した変形例を適宜組み合わせてもよい。
【符号の説明】
【００５２】
１  蓋付容器
１１  収容凹部
１２  容器本体
１３  後壁部
１４  ヒンジ部
１５  蓋体
１７  前壁部
２１  係合空間
２１ａ  後面
２１ｂ  側面
２１ｃ  下面
２２  係止部
２３  突出部
２４  被係止部
２５  第１支持突部（支持突部）
２６  第２支持突部（支持突部）
２７  規制凹部
３０  プッシュピース
３１  操作壁部
３２  天壁部
３３  底壁部
３４  解除突起
３５  主壁部
３６  突出壁部
３６ａ  先端部
３８  規制突部
【図１】
2020050400.tif 000003
【図２】
2020050400.tif 000004
【図３】
2020050400.tif 000005
【図４】
2020050400.tif 000006
【図５】
2020050400.tif 000007
【図６】
2020050400.tif 000008
【図７】
2020050400.tif 000009
【図８】
2020050400.tif 000010